(57)【要約】    【課題】  床面及び天井面の不陸や収納物の重量による収納家具の沈み込みに対処しつつ、上下両側から収納家具の転倒防止を図ることができるシステムを提供することを課題とする。    【解決手段】  床面Ｘに載置される収納棚１の下部と床面Ｘとの間、及びこの収納棚１の上部と天井面Ｙとの間に、板状弾性部材を備えた脚受け部材６…６、及びコイルバネを備えた転倒防止装置８…８をそれぞれ介在させる。その場合、収納棚１の側板２及び仕切板３の下端部に脚受け部材６を、上端部に転倒防止装置８を設ける。【選択図】    図１
2006158566.tif 000002
【特許請求の範囲】
【請求項１】
床面に載置される収納家具の転倒を防止するシステムであって、上記収納家具の下部と床面との間及び上記収納家具の上部と天井面との間にそれぞれ介在される支持装置を有し、かつこれらの支持装置は弾性部材を備えていることを特徴とする収納家具の転倒防止システム。
【請求項２】
収納家具は側板を有しており、下部の支持装置は上記側板の下端部と床面との間、上部の支持装置は上記側板の上端部と天井面との間に設けられることを特徴とする請求項１に記載の収納家具の転倒防止システム。
【請求項３】
収納家具は複数の脚を有しており、下部の支持装置は、上記脚を受ける剛性部材と、該剛性部材の下面に設けられた弾性部材とを有していることを特徴とする請求項１または請求項２に記載の収納家具の転倒防止システム。
【請求項４】
弾性部材の下面の床面に接する面に、滑り止め部材が設けられていることを特徴とする請求項３に記載の収納家具の転倒防止システム。
【請求項５】
脚はアジャスタ脚であることを特徴とする請求項３または請求項４に記載の収納家具の転倒防止システム。
【請求項６】
上部の支持装置は、天井面に当接する上部部材と、収納家具の上面に当接する下部部材と、両部材間に介在するバネ部材とを有していることを特徴とする請求項１から請求項５のいずれかに記載の収納家具の転倒防止システム。
【請求項７】
収納家具の側板は上方に突出しており、上部の支持装置の上部部材は、上記側板の突出部に両側から係合することを特徴とする請求項６に記載の収納家具の転倒防止システム。
【請求項８】
上部部材から上方に突出するピン部材が備えられていると共に、天井面側に上記ピン部材が係合する孔部が設けられていることを特徴とする請求項６または請求項７に記載の収納家具の転倒防止システム。
【発明の詳細な説明】
【技術分野】
【０００１】
本発明は、収納家具の転倒防止を図るシステムに関し、家具の技術分野に属する。
【背景技術】
【０００２】
従来、床面に載置される収納家具の転倒防止を図るため、該家具と天井面や床面との間に転倒防止装置や部材を設置することがあり、これらには例えば特許文献１〜３に記載のものがある。
【０００３】
まず、図１４に示すように、特許文献１に記載の装置ＡはタンスＢ１と該タンスＢ１上に設置される収納ボックスＢ２の転倒防止を図るためのもので、収納ボックスＢ２の下部にねじ込まれる一対のアジャスタ脚Ａ１，Ａ１と、該アジャスタ脚Ａ１，Ａ１を受ける細長い脚受け部材Ａ２と、該脚受け部材Ａ２とタンスＢ１上面との間に挟み込まれる滑り止め部材Ａ３，Ａ３とを有している。なお、滑り止め部材Ａ３は、収納ボックスＢ２上面と天井面Ｙとの間にも配設されている。
【０００４】
そして、収納ボックスＢ２に対する各アジャスタ脚Ａ１のねじ込み量を調節することにより、各アジャスタ脚Ａ１はタンスＢ１と収納ボックスＢ２ひいては天井面Ｙとの間で突っ張り、タンスＢ１及び収納ボックスＢ２の転倒防止を図ることができるようになる。
【０００５】
また、図１５に示すように、特許文献２に記載の装置Ｃは床面Ｘに載置された収納庫Ｄの転倒防止を図るためのもので、天井面Ｙにあてがう滑り止め用のプレートＣ１と、該プレートＣ１に結合された例えばゴム製筒状のバネ材Ｃ２と、該バネ材Ｃ２の内方に設けられて該バネ材Ｃ２を伸張状態から圧縮状態とするときに操作するシャフトＣ３と、上記バネ材Ｃ２を圧縮状態に保持すると共にその状態を解除するときに操作するストッパＣ４と、これらを収納庫Ｄの上面に取り付けるための取付台Ｃ５とを有している。
【０００６】
そして、バネ材Ｃ２が圧縮状態とされた２つの装置Ｃ，Ｃを収納庫Ｄと天井面Ｙとの間に設置したのち、取付台Ｃ５の側部に設けられた図示しない窓部を介してストッパＣ４を操作してバネ材Ｃ２を圧縮状態から伸張状態とすることにより、プレートＣ１は天井面Ｙに押し付けられる。すなわち、これらの装置Ｃ，Ｃは収納庫Ｄと天井面Ｙとの間で突っ張り、収納庫Ｄの転倒防止を図ることができる。また、これらの装置Ｃ，Ｃによれば、天井面Ｙの不陸があったとしてもこの不具合を吸収して突っ張ることができ、さらに、収納物の重量による収納庫Ｄの沈み込みが生じたとしてもバネ材Ｃ２の付勢力によってプレートＣ１は天井面Ｙに押し付けられて、転倒防止機能が持続されるようになる。
【０００７】
さらに、図１６に示すように、特許文献３に記載の部材Ｅは収納家具Ｆを載置してその転倒防止を図るためのもので、ブロック状の第１弾性部材Ｅ１と、該第１弾性部材Ｅ１の下部に設けられた中空部に嵌合された柔軟な第２弾性部材Ｅ２とを有し、また、収納家具Ｆが載置される上面に両面粘着テープＥ３が、床面Ｘに接する下面に滑り止め部材Ｅ４がそれぞれ設けられている。
【０００８】
そして、この部材Ｅ上に収納家具Ｆを載置することにより、第１及び第２弾性部材Ｅ１，Ｅ２を介して振動を吸収すると共に、両面粘着テープＥ３及び滑り止め部材Ｅ４を介して収納家具Ｆを床面Ｘの所定位置に安定的に設置することができるようになる。
【０００９】
【特許文献１】登録実用新案公報第３０１９４１５号公報
【特許文献２】特開２０００−３３６８１１号公報
【特許文献３】特開平９−１４４８０９号公報
【発明の開示】
【発明が解決しようとする課題】
【００１０】
ところで、特許文献１に記載の装置Ａは、タンスＢ１と収納ボックスＢ２との間で剛性体として突っ張るものであるため、振動が直接的にタンスＢ１や収納ボックスＢ２に伝達されて転倒防止効果は不十分である。また、収納物の重量によるタンスＢ１や収納ボックスＢ２の沈み込みが生じた場合には、各アジャスタ脚Ａ１のねじ込み量を再調節しなければならず、保守は面倒である。さらに、脚受け部材Ａ２が剛性の高いもので、これを例えば不陸のある床面側あるいは天井面Ｙ側に配設する場合には、脚受け部材Ａ２は床面側あるいは天井面Ｙ側の不陸箇所と局所的に接触することになり、その結果、脚受け部材Ａ２がすべったり、支持する荷重が局所に集中して床面や天井面Ｙにたわみや凹み等が生じたりするおそれがある。
【００１１】
また、特許文献２に記載の装置Ｃでは、床面Ｘからの振動が直接的に収納庫Ｄに伝達されることは避けられなく、この場合にも転倒防止効果は不十分である。また、床面Ｘの不陸を吸収することができる構成ではない。
【００１２】
一方、特許文献３に記載の部材Ｅでは、収納家具Ｆの下側つまり床面Ｘ側で振動を吸収して転倒防止を図ることができるものの、上側つまり天井面側はフリーであるため、地震等の大きな振動に対処するにはやはり不十分である。
【００１３】
そこで、本発明は、床面及び天井面の不陸や収納物の重量による収納家具の沈み込みに対処しつつ、上下両側から収納家具の転倒防止を図ることができるシステムを提供することを課題とする。
【課題を解決するための手段】
【００１４】
上記課題を解決するため、本発明は次のように構成したことを特徴とする。
【００１５】
まず、請求項１に記載の発明は、床面に載置される収納家具の転倒を防止するシステムであって、上記収納家具の下部と床面との間及び上記収納家具の上部と天井面との間にそれぞれ介在される支持装置を有し、かつこれらの支持装置は弾性部材を備えていることを特徴とする。
【００１６】
次に、請求項２に記載の発明は、上記請求項１に記載の発明において、収納家具は側板を有しており、下部の支持装置は上記側板の下端部と床面との間、上部の支持装置は上記側板の上端部と天井面との間に設けられることを特徴とする。
【００１７】
また、請求項３に記載の発明は、上記請求項１または請求項２に記載の発明において、収納家具は複数の脚を有しており、下部の支持装置は、上記脚を受ける剛性部材と、該剛性部材の下面に設けられた弾性部材とを有していることを特徴とする。
【００１８】
また、請求項４に記載の発明は、上記請求項３に記載の発明において、弾性部材の下面の床面に接する面に、滑り止め部材が設けられていることを特徴とする。
【００１９】
また、請求項５に記載の発明は、上記請求項３または請求項４に記載の発明において、脚はアジャスタ脚であることを特徴とする。
【００２０】
一方、請求項６に記載の発明は、上記請求項１から請求項５のいずれかに記載の発明において、上部の支持装置は、天井面に当接する上部部材と、収納家具の上面に当接する下部部材と、両部材間に介在するバネ部材とを有していることを特徴とする。
【００２１】
また、請求項７に記載の発明は、上記請求項６に記載の発明において、収納家具の側板は上方に突出しており、上部の支持装置の上部部材は、上記側板の突出部に両側から係合することを特徴とする。
【００２２】
そして、請求項８に記載の発明は、上記請求項６または請求項７に記載の発明において、上部部材から上方に突出するピン部材が備えられていると共に、天井面側に上記ピン部材が係合する孔部が設けられていることを特徴とする。
【発明の効果】
【００２３】
まず、請求項１に記載の発明によれば、収納家具と床面との間及び収納家具と天井面との間にそれぞれ弾性部材を備えた支持装置を介在させるので、地震等の振動を上下両側で分担して効果的に吸収して、この収納家具の転倒防止を図ることができる。しかも、いずれも弾性部材を備えた支持装置であるため、床面及び天井面の不陸があったり収納物の重量による収納家具の沈み込みが生じたとしても、上下の弾性部材がこれらを吸収して対処可能となる。
【００２４】
次に、請求項２に記載の発明によれば、上下の支持装置を収納家具において上下方向の剛性の高い側板の上端部及び下端部に配設するので、上下の弾性部材による付勢力が一層効果的に発揮されて、転倒防止効果が増強される。
【００２５】
また、請求項３に記載の発明によれば、下部の支持装置の構成が具体化される。すなわち、剛性部材が複数の脚を介して負荷される荷重を確実に受けた上で、弾性部材が振動を吸収すると共に床面の不陸に沿って変形して不陸の問題を効果的に解消することができる。さらに、剛性部材と弾性部材とが協働して負荷される荷重を局所に集中させることなく床面の広い範囲に分散するので、床面にたわみや凹み等の不具合が生じることがない。
【００２６】
また、請求項４に記載の発明によれば、床面に不陸がある場合、弾性部材がこの不陸に沿って変形することに伴い、滑り止め部材が床面に隙間なく密着するようになる。したがって、下部の支持装置を床面にねじ止めしなくても地震等の振動によって滑ったりずれたりすることがなく、もって施工時の作業性を向上すると共に床面を傷付けることがない。
【００２７】
また、請求項５に記載の発明によれば、脚をアジャスタ脚とすることにより、収納家具の上面と天井面との間の間隔を変更することができ、もって両者間に介在する上部の支持装置の付勢力を綿密に調節可能となる。
【００２８】
一方、請求項６に記載の発明によれば、上部の支持装置の構成が具体化される。すなわち、天井面に当接する上部部材と収納家具の上面に当接する下部部材との間にバネ部材を介在させているので、この支持装置は収納家具と天井面との間で突っ張り、収納家具の転倒防止を図ることができると共に、天井面の不陸があったり収納物の重量による収納家具の沈み込みが生じたとしても、バネ部材の付勢力によって良好な突っ張り性を維持することができる。
【００２９】
また、請求項７に記載の発明によれば、上部の支持装置の上部部材を側板の突出部に両側から係合させることにより、この上部部材で下部部材やバネ部材を覆うことが可能で、設置後の見栄えが向上する。
【００３０】
そして、請求項８に記載の発明によれば、上部の支持装置のピン部材と天井面側の孔部との係合により、地震等の振動発生時にもこの支持装置を所定の位置にずれることなく安定的に配設可能となり、一段と良好に収納家具の転倒防止を図ることができる。
【発明を実施するための最良の形態】
【００３１】
以下、本発明の実施の形態について説明する。
【００３２】
すなわち、図１及び図２に示すように、本発明に係る収納棚１は、上方に突出する左右両側の側板２，２及び中間の２つの仕切板３，３と、複数の棚板４…４とを有し、多数の収納空間が形成されている。また、この収納棚１は複数のアジャスタ脚５…５を備えており、床面Ｘに該アジャスタ脚５…５を受ける複数の下部支持装置としての脚受け部材６…６を介して設置されている。そして、この収納棚１の上部と天井面Ｙとの間に、補強板７を介して複数の上部支持装置としての転倒防止装置８…８が装着されている。
【００３３】
図３に示すように、アジャスタ脚５は、側板２の下端部に設けられた垂直穴２ａに圧入されて内面に雌ねじ部を有するナット状の筒状部材１１と、該筒状部材１１の雌ねじ部に螺合されたねじ軸１２と、該ねじ軸１２の下部に組み付けられた台座１３と、該ねじ軸１２に螺合されたロックナット１４とを有している。
【００３４】
ねじ軸１２には、上から順に、雄ねじ部１２ａ、雄ねじ部１２ａの径より大径でナット形状の操作部１２ｂ、雄ねじ部１２ａの径より小径の中径部１２ｃ、該中径部１２ｃより小径の小径部１２ｄ、該小径部１２ｄより大径の抜け止め部１２ｅが形成されている。また、中径部１２ｃの周面は一部切り欠かれて平面部１２ｆが設けられている。
【００３５】
台座１３は、ねじ軸１２の中径部１２ｃとほぼ同形状の開口１５ａが上面に設けられたカバー１５と、ドーナッツ状の弾性体でなる底部１６とを有し、カバー１５の開口１５ａが上記ねじ軸１２の中径部１２ｃに嵌められていると共に、底部１６が上記小径部１２ｄに嵌められている。これによれば、ねじ軸１２の操作部１２ｂを操作してねじ軸１２を回転させると、台座１３のカバー１５が一緒に回転するが、底部１６は後述する脚受け部材６との抵抗により回転することがない。
【００３６】
ここで、カバー１５の開口１５ａは、ねじ軸１２の中径部１２ｃより若干大きくされ、遊びが設けられている。これによれば、床面Ｘの傾きにより脚受け部材６が水平でないような場合でも、アジャスタ脚５の台座１３が床面Ｘに沿って傾き、底部１６の下面が以下説明する脚受け部材６の円形凹部２１ａの底面に良好に密着することとなる。
【００３７】
なお、各側板２の底部とロックナット１４との間には、該ロックナット１４が収納棚１の重量により側板２の底部にめり込むのを防止することを目的として、該ロックナット１４の径より大径の平ワッシャ１７が介設されている。
【００３８】
図４〜図６に示すように、脚受け部材６は、上記アジャスタ脚５，５の台座１３，１３の底部１６，１６が嵌められる円形凹部２１ａ，２１ａが上面の両端側に設けられた板状剛性部材２１と、該板状剛性部材２１の下面に貼り合わされた板状弾性部材２２と、該板状弾性部材２２の下面の床面Ｘに接する面に貼り合わされたシート状滑り止め部材２３とを有している。
【００３９】
板状剛性部材２１は長さ約３０ｃｍ、幅約４ｃｍ、厚さ１５ｍｍの木材である。また、凹部２１ａの半径はアジャスタ脚５の台座１３の底部１６の半径よりも１ｍｍ大きくされている。また、凹部２１ａの深さは、図３に示すように、上記アジャスタ脚５の台座１３のカバー１５の下端と該板状剛性部材２１の上面とが干渉しないように、これらの間に隙間αが生じる深さに設定されている。具体的には、この例においては、凹部２１ａの深さは１ｍｍで、隙間αは１ｍｍとされている。
【００４０】
板状弾性部材２２は、厚さ１．６ｍｍのウレタン発泡材であり、地震発生時の振動吸収や、シート状滑り止め部材２３の床面Ｘへの密着性確保等を目的として設けられている。
【００４１】
シート状滑り止め部材２３は、厚さ０．２３ｍｍのシリコンゴムで形成されており、床面Ｘに対する滑り止めを目的として設けられている。また、シリコンゴムであるので、汚れが付着しにくい性質を有している。
【００４２】
ここで、板状剛性部材２１と板状弾性部材２２との貼り合せ、及び板状弾性部材２２とシート状滑り止め部材２３との貼り合せには、接着剤や両面粘着テープを用いることができる。本実施の形態においては、板状剛性部材２１と板状弾性部材２２との貼り合わせには基材の両面にアクリル系粘着剤の塗布された両面粘着テープ２４を用い、板状弾性部材２２とシート状滑り止め部材２３との貼り合わせには基材の両面にゴム系粘着剤の塗布された両面粘着テープ２５を用いている。そして、アジャスタ脚５の台座１３の底部１６と板状剛性部材２１の凹部２１ａとは、基材の両面にアクリル系粘着剤の塗布された両面粘着テープ２６を介して結合されるようになっている。
【００４３】
なお、アジャスタ脚５及び脚受け部材６は、各側板２に加えて各仕切板３の下端部にも取り付けられるが、事情は前述した側板２におけると同じであるので、説明及び図示を省略する。
【００４４】
図７〜図９に示すように、転倒防止装置８は、収納棚１に設けられた側板２の突出部と天井面Ｙとの間に、天井面Ｙに図示しない両面粘着テープで貼り付けられた収納棚１の幅方向に長い補強板７を介して設置される。そして、この転倒防止装置８は、カバー部材３１、ベース部材３２、中間部材３３、一対のコイルバネ３４，３４、同じく一対のバネ軸３５，３５、支軸３６、ロック部材３７、及び一対の蓋部材３８，３８を有している。なお、図８及び図９は施工途中の状態つまりコイルバネ３４，３４が初期の圧縮状態の場合を示すもので、補強板７と転倒防止装置８との間に若干の隙間が形成されているが、施工後にはカバー部材３１は矢印ａ及び細い二点鎖線で示すように補強板７に押し付けられるようになる。
【００４５】
カバー部材３１はアルミニウム製で、施工後に補強板７に当接することになる上面３１ａと側板２の突出部に両側から係合する両側面３１ｂ，３１ｂとを有するチャンネル状とされている。また、上面３１ａには、バネ軸３５，３５の上部が突出可能に孔部３１ｃ，３１ｃが設けられている。
【００４６】
ベース部材３２はスチール製で、カバー部材３１内に収容されて側板２の突出部上面に当接するもので、長手方向の両端に上方に向く折曲部３２ａ，３２ａと、長手方向に沿った両側に下方に向く折曲部３２ｂ，３２ｂとを有している。なお、後者の折曲部３２ｂ，３２ｂは、この転倒防止装置８を側板２の突出部に設置するときに、該側板２を両側から抱き込むガイド機能を備えている。
【００４７】
また、ベース部材３２の長手方向の両端近傍には、この転倒防止装置８を側板２の突出部上面にねじＺ１，Ｚ１を用いて固定するためのねじ孔部３２ｃ，３２ｃが設けられており、一方、カバー部材３１の上面３１ａには、上記ねじ孔部３２ｃ，３２ｃに対応する箇所に、ねじ止め用の電動ドライバ等の工具を操作可能に工具操作窓部３１ｄ，３１ｄが設けられている。なお、カバー部材３１の上面３１ａには、この転倒防止装置８を補強板７にねじＺ２，Ｚ２を用いて固定する場合に利用されるねじ孔部（図７及び図８に一方のみ示す）３１ｅ，３１ｅが設けられている。
【００４８】
中間部材３３はスチール製かつ略チャンネル状のもので、カバー部材３１の上面３１ａの直下にビス３９…３９で固定されており、バネ軸３５，３５が貫通する孔部３３ａ，３３ａが設けられている。また、中間部材３３の長手方向の両端には、ベース部材３２を側板２にねじ止めするときに、その作業を可能とするための切欠部３３ｂ，３３ｂが設けられている。
【００４９】
コイルバネ３４，３４はベース部材３２をカバー部材３１内で下方に付勢するもので、ベース部材３２と中間部材３３との間に介装されている。その場合、各コイルバネ３４の上部は、樹脂製のバネ受け部材４０で受けられている。
【００５０】
バネ軸３５，３５はベース部材３２に長手方向に所定の間隔を置いて立設されており、コイルバネ３４，３４に挿入されてこれらを支持する。各バネ軸３５は、ベース部材３２から延びる最も小径の基部３５ａと最も大径の中間部３５ｂと中間径の頭部３５ｃとで構成されている。その場合、中間部３５ｂは、中間部材３３に設けられた孔部３３ａより上方に設けられていると共に該孔部３３ａよりも径が大きく設定されている。頭部３５ｃは、カバー部材３１の上面３１ａの孔部３１ｃから突出して補強板７に設けられた孔部７ａに嵌り込むもので、面取りされている。
【００５１】
支軸３６は、一対のコイルバネ３４，３４に挟まれてベース部材３２に立設されており、その上部に水平面内で回動する樹脂製の細長いロック部材３７が設けられている。一方、中間部材３２には、このロック部材３７に対応する箇所に該ロック部材３７を図７に細い二点鎖線で示す所定の向きにおいてのみ挿通可能とする平面視略矩形の孔部３３ｃが設けられており、ロック部材３７と中間部材３３の孔部３３ｃとにより、コイルバネ３４，３４を圧縮状態としてカバー部材３１の上面３１ａとベース部材３２とを接近させた状態でロックするロック機構が構成される。また、ロック部材３７の下部は所定の形状に切り欠かれている。そして、カバー部材３１の両側面３１ｂ，３１ｂに、上記ロック部材３７を回動させるための手回しドライバ等の工具を操作可能に工具操作窓部３１ｆ，３１ｆが設けられている。
【００５２】
蓋部材３８，３８はカバー部材３１の両端部の開口を覆う樹脂製のもので、着脱可能に備えられている。すなわち、各蓋部材３８には、カバー部材３１内方に略板状に延びる各一対の上部係合部３８ａ，３８ａと、一部スリットされて断面が略ロ字様に延びる下部係合部３８ｂ，３８ｂとが設けられており、一方、カバー部材３１の上面３１ａには、上部係合部３８ａ，３８ａの先端近傍の突起が嵌り込む係合孔部３１ｇ…３１ｇが、カバー部材３１の両側面３１ｂ，３１ｂには、下部係合部３８ｂ，３８ｂが係合する長手方向に沿って延びるレール部３１ｈ，３１ｈが設けられている。
【００５３】
そして、図１０及び図１１に、付勢力が所望の値の下限に低下するまでコイルバネ３４，３４が伸張した状態の転倒防止装置８を示している。すなわち、これは転倒防止装置８を収納棚１の側板２の上部に装着して、カバー部材３１の工具操作窓部３１ｆを介してロック部材３７を図７に実線で示した状態から細い二点鎖線で示したように９０度回動させて中間部材３３の孔部３３ｃに落とし込むことにより、コイルバネ３４，３４の初期の圧縮状態を解除して、コイルバネ３４，３４が適切な伸張状態となることにより、収納棚１と補強板７ひいては天井面Ｙとの間で良好な付勢力が確保されたのちに、例えば収納棚１の大きな沈み込みが生じた場合を示しており、沈み込んだ側板２に固定されたベース部材３２と天井面Ｙに固定された補強板７つまりカバー部材３１ひいては中間部材３３との間で、コイルバネ３４，３４が限界まで伸張している。
【００５４】
この限界の伸張状態は、孔部３３ａ，３３ａを介して中間部材３３を貫通するバネ軸３５，３５に設けられた大径の中間部３５ｂ，３５ｂが中間部材３３に上方から当接することで実現されるものであり、中間部３５ｂ，３５ｂが、図８及び図９に示した初期の圧縮状態における位置から図１０及び図１１に示した限界の伸張状態における位置の間、例えば図１０及び図１１に細い二点鎖線で示す位置にあれば、コイルバネ３４，３４はカバー部材３１の上面３１ａを補強板７に良好に押し付ける。その場合、バネ軸３５の中間部３５ｂと中間部材３３とは、ベース部材３２がカバー部材３１の両側面３１ｂ，３１ｂ下端の所定量上方位置より下方に突出しないように当接する。なお、収納棚１の沈み込みに伴い、ベース部材３２に立設されたバネ軸３５，３５の頭部３５ｃ，３５ｃは、補強板７の孔部７ａ，７ａ内でカバー部材３１側に若干退避している。
【００５５】
そして、限界の伸張状態では、図１０及び図１１に示すように、矢印ｂ方向から見たときに、ベース部材３２の上方に向く折曲部３２ａ，３２ａの上縁が蓋部材３８，３８の下縁に対して所定の隙間βを空けて下方に位置するように、一方、初期の圧縮状態では、図８及び図９に示すように、矢印ｂ方向から見たときに、折曲部３２ａ，３２ａの上縁が蓋部材３８，３８で隠れるように、折曲部３２ａや蓋部材３８の寸法、及びバネ軸３５における中間部３５ｂの配設位置等が設定されている。
【００５６】
なお、転倒防止装置８は、各側板２に加えて各仕切板３の上端部にも装着されるが、事情は前述した側板２におけると同じであるため、説明及び図示を省略する。
【００５７】
ここで、収納棚１の設置手順の一例について説明する。なお、収納棚１は、側板２，２、仕切板３，３、棚板４…４，アジャスタ脚５…５等に解体されて現場に搬入される。
【００５８】
まず、各側板２及び各仕切板３の突出部に、図８及び図９に示したコイルバネ３４，３４がロック状態つまり初期の圧縮状態とされた転倒防止装置８をねじＺ１，Ｚ１で固定する。このように、工場から施工現場にコイルバネ３４，３４が初期の圧縮状態とされた転倒防止装置８を持ち込み可能であるので、作業性の向上を図ることができると共に、現場に伸張したバネ部材を設置したのちこれを圧縮するような、施工者の力加減に左右されるものではないので、常に安定して初期の良好な突っ張り力を確保することができる。
【００５９】
次いで、各側板２及び各仕切板３の下面にアジャスタ脚５，５を取り付ける。すなわち、アジャスタ脚５，５に平ワッシャ１７，１７を挿通した上で、各側板２及び各仕切板３の下面から台座１３，１３の底部１６，１６の底面までの距離が所定長となるように、ねじ軸１２，１２を筒状部材１１，１１にねじ込む。このとき、ロックナット１４を台座１３寄りに位置させておく。
【００６０】
そして、天井面Ｙに両面粘着テープを介して補強板７を貼り付けて補強する。この取り付けに両面粘着テープを用いることにより、ねじや釘を用いた場合のように天井面Ｙに傷が残ることはなく、また、天井面Ｙがねじや釘の効かない素材であったり、ねじや釘の使用が許されないような場合にも取り付けが可能となる。なお、天井面Ｙが強度的に十分強い場合には、補強板７を省略してもよい。
【００６１】
次いで、各側板２及び各仕切板３を床面Ｘ上の予定位置に設置するわけであるが、従来の設置方法によれば、例えば、（１）床面Ｘに脚受け部材６を配設し、（２）脚受け部材６の上方に各側板２及び各仕切板３を持ち上げながら移動させ、（３）この持ち上げた状態でアジャスタ脚５，５の台座１３，１３の底部１６，１６と脚受け部材６の凹部２１ａ，２１ａとを位置合せし、（４）この位置合せした状態で各側板２及び各仕切板３を降ろして脚受け部材６の凹部２１ａにアジャスタ脚５，５の台座１３，１３の底部１６，１６を嵌め込み、（５）アジャスタ脚５，５により各側板２及び各仕切板３の高さ調整及び垂直調整を行なうという多くの手順を踏むこととなるが、特に上記（３）、（４）の作業は、重量物である各側板２及び各仕切板３を持ち上げながら微調整が必要な繊細なものであり、作業性が非常に悪い。
【００６２】
そこで、本実施の形態においては、図６に示すように、各側板２及び各仕切板３の設置前に、脚受け部材６をアジャスタ脚５，５に予め貼り付けるようにしている。詳しくは、各アジャスタ脚５の台座１３の底部１６に各脚受け部材６の板状剛性部材２１の凹部２１ａを嵌め込んで両面粘着テープ２６により貼り付けるようにしている。これによれば、設置に際しては、脚受け部材６をアジャスタ脚５，５に貼り付けた状態の各側板２及び各仕切板３を設置予定位置に移動させるだけでよくなり、現場での作業性が飛躍的に向上する。なお、両面粘着テープ２６は脚受け部材６の製造時に貼り付けておいてもよいし、施工現場で貼り付けてもよく、あるいは、アジャスタ脚５の台座１３の底部１６下面に予め貼り付けておいてもよい。
【００６３】
次いで、各側板２及び各仕切板３の上部に装着された転倒防止装置８のカバー部材３１の上面３１ａから突出するバネ軸３５，３５の頭部３５ｃ，３５ｃが補強板７の孔部７ａ，７ａに嵌り込むように各側板２及び各仕切板３を立てる。そして、アジャスタ脚５，５の各側板２及び各仕切板３へのねじ込み量を調節して上記カバー部材３１の上面３１ａを補強板７に当接させると共に、各側板２及び各仕切板３の垂直を調整したのち、ロックナット１４を締める。
【００６４】
このようにして各側板２及び各仕切板３を垂直に立て、互いに隣接する一対の側板２と仕切板３との間や一対の仕切板３，３間に棚板４…４を設置した上で、アジャスタ脚５…５の側板２，２及び仕切板３，３へのねじ込み量を加減して収納棚１全体の水平垂直を調整したのち、例えば手回しドライバによって転倒防止装置８の工具操作窓部３１ｆを介してロック部材３７を９０度回動させて所定の向きにしてこれを中間部材３３の孔部３３ｃに落とし込ませ、ロック状態を解除してコイルバネ３４，３４を伸張状態とさせる。その結果、図８及び図９に矢印ａ及び細い二点鎖線で示したように、コイルバネ３４，３４は、側板２及び仕切板３の突出部上面に固定されたベース部材３２に対して中間部材３３ひいてはカバー部材３１の上面３１ａを補強板７ひいては天井面Ｙに押し付けるようになり、この転倒防止装置８は、収納棚１と天井面Ｙとの間で突っ張るようになる。
【００６５】
そして、カバー部材３１の両端部に蓋部材３８，３８を嵌め込み、図８に示したように矢印ｂ方向から見たときに、蓋部材３８，３８の下縁とベース部材３２の折曲部３２ａ，３２ａの上縁との間に隙間βが観察されなければ、コイルバネ３４，３４の付勢力が良好に確保されていることを意味するので、設置作業を終了する。なお、隙間βが観察された場合には、該隙間βが観察されなくなるまでベース部材３２つまりは側板２及び仕切板３の突出部上面を上方に移動させるべく、アジャスタ脚５のねじ込み量を調整すればよい。
【００６６】
ここで、設置後の収納棚１に対する安定性試験を行なった結果について説明する。
【００６７】
まず、図１２に示すように、下部と床面Ｘとの間をアジャスタ脚５…５を介して脚受け部材６…６で、上部と天井面Ｙとの間を補強板７を介して転倒防止装置８…８で支持された収納棚１の棚板４…４に、１平方メートル当り２００ｋｇの荷重を載荷する。そして、この状態の収納棚１の重心Ｏ付近を、載荷したトータル荷重の６０％の力で矢印ｃで示すように水平方向に引っ張った。その結果、この収納棚１は転倒しなく、また、収納棚１のずれや各部の損傷等の異常も見当たらなく、本発明の効果が実証された。
【００６８】
次に、図１３に示すように、同様に下部と床面Ｘとの間をアジャスタ脚５…５を介して脚受け部材６…６で、上部と天井面Ｙとの間を補強板７を介して転倒防止装置８…８で支持された収納棚１の正面視略中央付近の仕切板３に対して、１０００ｍｍ長のロープに取り付けられた１５ｋｇの錘Ｗを床面Ｘからの高さが１２００ｍｍとなるように吊下げた上で、二点鎖線で示す４５°の位置から衝突させることにより、衝撃荷重を加えた。これを５回繰り返して行なった結果、この収納棚１は転倒しなく、また、収納棚１のずれや各部の損傷等の異常も見当たらなく、この場合にも本発明の効果が実証された。
【００６９】
以上のように構成したことにより、まず、収納棚１と床面Ｘとの間及び収納棚１と天井面Ｙとの間にそれぞれ板状弾性部材２２及びコイルバネ３４を備えた支持装置としての脚受け部材６及び転倒防止装置８を介在させるので、地震等の振動を上下両側で分担して効果的に吸収して、この収納棚１の転倒防止を図ることができる。しかも、床面Ｘ及び天井面Ｙの不陸があったり収納物の重量による収納棚１の沈み込みが生じたとしても、上下のコイルバネ３４及び板状弾性部材２２がこれらを吸収して対処可能となる。
【００７０】
次に、上下の支持装置である転倒防止装置８と脚受け部材６とを収納棚１において上下方向の剛性の高い側板２の上端部及び下端部に配設するので、上下のコイルバネ３４及び板状弾性部材２２による付勢力が一層効果的に発揮されて、転倒防止効果が増強される。
【００７１】
また、下部の支持装置である脚受け部材６では、板状剛性部材２１が複数のアジャスタ脚５…５を介して負荷される荷重を確実に受けた上で、板状弾性部材２２が振動を吸収すると共に床面Ｘの不陸に沿って変形して不陸の問題を効果的に解消することができる。さらに、板状剛性部材２１と板状弾性部材２２とが協働して負荷される荷重を局所に集中させることなく床面Ｘの広い範囲に分散するので、床面Ｘにたわみや凹み等の不具合が生じることがない。
【００７２】
また、床面Ｘに不陸がある場合、板状弾性部材２２がこの不陸に沿って変形することに伴い、シート状滑り止め部材２３が床面Ｘに隙間なく密着するようになる。したがって、下部の支持装置である脚受け部材６を床面Ｘにねじ止めしなくても地震等の振動によって滑ったりずれたりすることがなく、もって施工時の作業性を向上すると共に床面Ｘを傷付けることがない。
【００７３】
また、収納棚１の下端部の脚をアジャスタ脚５とすることにより、収納棚１の上面と天井面Ｙとの間の間隔を変更することができ、もって両者間に介在する上部の支持装置である転倒防止装置８の付勢力を綿密に調節可能となる。
【００７４】
一方、上部の支持装置である転倒防止装置８では、天井面Ｙに当接するカバー部材３１と収納棚１の上面に当接するベース部材３２との間にコイルバネ３４を介在させているので、この転倒防止装置８は収納棚１と天井面Ｙとの間で突っ張り、収納棚１の転倒防止を図ることができると共に、天井面Ｙの不陸があったり収納物の重量による収納棚１の沈み込みが生じたとしても、コイルバネ３４の付勢力によって良好な突っ張り性を維持することができる。
【００７５】
また、上部の支持装置である転倒防止装置８のカバー部材３１を側板２の突出部に両側から係合させることにより、このカバー部材３１でベース部材３２やコイルバネ３４を覆うことが可能で、設置後の見栄えが向上する。
【００７６】
そして、上部の支持装置である転倒防止装置８のバネ軸３５の頭部３５ｃと天井面Ｙ側の補強板７の孔部７ａとの係合により、地震等の振動発生時にもこの転倒防止装置８を所定の位置にずれることなく安定的に配設可能となり、一段と良好に収納棚１の転倒防止を図ることができる。
【００７７】
なお、本発明は、具体的に詳述した上記実施の形態に限定されることはなく、本発明の趣旨に沿うものであればよい。
【００７８】
まず、上記実施の形態では、脚受け部材６の各部材２１〜２３の厚さ等について具体的数値を挙げて説明したが、各数値は一例であり、脚受け部材６上に載置される収納家具の寸法、重量に応じて適宜設定すればよい。
【００７９】
また、上記実施の形態では、脚受け部材６の板状剛性部材２１に木材を用いたが、これに代えてステンレス材を用いてもよい。その場合には、厚さ１５ｍｍの上記板状剛性部材２１と同程度の剛性を例えば厚さ３ｍｍのステンレス材で確保することができる。
【００８０】
また、上記実施の形態では、脚受け部材６の板状剛性部材２１の上面にアジャスタ脚５を受ける凹部２１ａを一体に設けていたが、これに代えて、前述したステンレス材の板状剛性部材の上面に、同じステンレス材でなる平面視円形の貫通孔が形成された厚さ１ｍｍの補助プレートを別体に貼り合せた構成としてもよい。その場合には、この補助プレートの貼り付け位置を適宜変更することにより、アジャスタ脚５の多様な配置に容易に対応可能となる。
【００８１】
また、上記実施の形態では、２つのアジャスタ脚５，５を受ける脚受け部材６について説明したが、３つ以上のアジャスタ脚５…５を受ける脚受け部材についても適用可能である。また、平面視の形状は、長方形状に限定されるものではなく、収納家具の荷重が適切に分散できる形状であればかまわない。
【００８２】
また、上記実施の形態では、一つの転倒防止装置８につき各一対のコイルバネ３４，３４とバネ軸３５，３５とを備えたが、これらをさらに増設してもよいし、逆に、例えば奥行きの狭い収納棚では、長さの短いカバー部材を用いた転倒防止装置とし、併せてコイルバネ３４とバネ軸３５とをそれぞれ一つ備えた構成としてもよい。
【００８３】
そして、上記実施の形態では、バネ軸３５の頭部３５ｃがカバー部材３１の上面３１ａから突出してピン部材を構成していたが、バネ軸とピン部材とをそれぞれ別体として設けてもよいし、ピン部材を省略してもよい。
【産業上の利用可能性】
【００８４】
以上説明したように、本発明によれば、床面及び天井面の不陸や収納物の重量による収納家具の沈み込みに対処しつつ、上下両側から収納家具の転倒防止を図ることができるシステムが提供される。すなわち、本発明は、収納家具の転倒防止を図るシステムに関し、家具の技術分野に広く好適である。
【図面の簡単な説明】
【００８５】
【図１】本発明の実施の形態に係る収納棚の正面図である。
【図２】同じく側面図である。
【図３】収納棚のアジャスタ脚付近の拡大図である。
【図４】脚受け部材の平面図である。
【図５】同じく側面図である。
【図６】図５のＩＩ−ＩＩ線による拡大断面図である。
【図７】転倒防止装置の一部を破断した平面図である。
【図８】図７のＩＩＩ−ＩＩＩ線による断面図である。
【図９】図８のＩＶ−ＩＶ線による断面図である。
【図１０】コイルバネが限界まで伸張した状態を示す図８に相当する断面図である。
【図１１】図１０のＶＩ−ＶＩ線による断面図である。
【図１２】収納棚の安定性試験を説明するための側面図である。
【図１３】収納棚の別なる安定性試験を説明するための側面図である。
【図１４】従来の転倒防止装置の設置状態を示す一部を破断した側面図である。
【図１５】従来の別なる転倒防止装置の設置状態を示す一部を破断した正面図である。
【図１６】従来の転倒防止部材の設置状態を示す断面図である。
【符号の説明】
【００８６】
１      収納棚（収納家具）
２      側板
５      アジャスタ脚（脚）
６      脚受け部材（下部の支持装置）
７ａ    孔部
８      転倒防止装置（上部の支持装置）
２１    板状剛性部材
２２    板状弾性部材
２３    シート状滑り止め部材
３１    カバー部材（上部部材）
３２    ベース部材（下部部材）
３４    コイルバネ（弾性部材、バネ部材）
３５    バネ軸（ピン部材）
Ｘ      床面
Ｙ      天井面
【図１】
2006158566.tif 000003
【図２】
2006158566.tif 000004
【図３】
2006158566.tif 000005
【図４】
2006158566.tif 000006
【図５】
2006158566.tif 000007
【図６】
2006158566.tif 000008
【図７】
2006158566.tif 000009
【図８】
2006158566.tif 000010
【図９】
2006158566.tif 000011
【図１０】
2006158566.tif 000012
【図１１】
2006158566.tif 000013
【図１２】
2006158566.tif 000014
【図１３】
2006158566.tif 000015
【図１４】
2006158566.tif 000016
【図１５】
2006158566.tif 000017
【図１６】
2006158566.tif 000018